(57)【要約】      （修正有）【課題】必要時に簡単かつ容易に次亜塩素酸機能水が製造可能な次亜塩素酸機能水生成キットを提供する。【解決手段】ボトルＢのネック部Ｋに着脱される同一構造の第１キャップ１０、第２キャップ２０を有し、第１キャップはネック部Ｋに螺着する第１キャップ体１１と第１キャップ体に立設された雄ねじ部１２に螺着する第２キャップ体１５を有し、第１キャップ体１１にはボトルの内部に進入するストッパ１３が一体形成され、第２キャップ体１５にはストッパの内側でボトルに進入する筒体１６が形成され、筒体の先端部に底蓋１７を嵌合して収容物を収容し、第２キャップ体１５を雄ねじ部１２から外して筒体を上昇させ底蓋をストッパに当接させて上昇を規制して底蓋を筒体から分離し、収容物をボトルの内部に放出する。第１キャップ１０には次亜塩素酸ナトリウムが、第２キャップ２０には酸が収容されている。【選択図】図３
0003229337.tif 000002
【実用新案登録請求の範囲】
【請求項１】
キャップが螺着可能なボトルのネック部に着脱される第１キャップおよび第２キャップを具備し、
前記第１キャップおよび前記第２キャップは、前記ボトルの前記ネック部に螺着する第１キャップ体と前記第１キャップ体に立設された雄ねじ部に螺着する第２キャップ体を有し、
前記第１キャップ体には前記ボトルの内部に進入するストッパが一体形成され、
前記第２キャップ体には前記ストッパの内側位置において前記ボトルの内部に進入する筒体が形成されていると共に、前記筒体の先端部に底蓋が嵌合により取り付けられ、前記筒体と前記底蓋とにより形成された容器に収容物が収容されており、
前記底蓋は前記筒体の外径寸法よりも大径寸法であると共に前記ストッパと当接可能な大きさに形成されており、
前記第２キャップ体を前記雄ねじ部から離脱させる動作により、前記筒体が上昇して前記底蓋が前記ストッパに当接することで前記底蓋の上昇が規制されることで前記筒体と前記底蓋との嵌合が解除され前記筒体から前記底蓋が分離し、前記底蓋と共に前記容器に収容されている前記収容物が前記ボトルの内部に放出可能であって、
前記第１キャップの前記容器には次亜塩素酸ナトリウムが収容されており、
前記第２キャップの前記容器には酸が収容されていることを特徴とする次亜塩素酸機能水生成キット。
【請求項２】
前記酸は、前記第１キャップの前記容器に収容された前記次亜塩素酸ナトリウムと中和反応し、ｐｈ＝５．５〜６．５である次亜塩素酸機能水が生成可能な種類および容量であることを特徴とする請求項１記載の次亜塩素酸機能水生成キット。
【請求項３】
前記第１キャップの前記容器には２．３ｍｌの４％次亜塩素酸ナトリウム水溶液が収容されており、
前記第２キャップの前記容器には２．６ｍｌの３％塩化水素水溶液が収容されていることを特徴とする請求項１または２記載の次亜塩素酸機能水生成キット。
【請求項４】
前記第１キャップの上面と前記第２キャップの上面には前記ネック部への装着順序を表す装着順序表示が施されていることを特徴とする請求項１〜３のうちのいずれか一項に記載の次亜塩素酸機能水生成キット。
【請求項５】
前記底蓋には、前記ボトルの内部において注意喚起を施すための注意喚起加工が施されていることを特徴とする請求項１〜４のうちのいずれか一項に記載の次亜塩素酸機能水生成キット。
【考案の詳細な説明】
【技術分野】
【０００１】
本考案は次亜塩素酸機能水生成キットに関する。
【背景技術】
【０００２】
近年、除菌や消臭等を目的として次亜塩素酸機能水の使用が注目されている。このような次亜塩素酸機能水を製造するための装置としては、特許文献１に開示されているような構成のものが提案されている。
【先行技術文献】
【特許文献】
【０００３】
【特許文献１】特開２０１９−１４７０７３号公報
【考案の概要】
【考案が解決しようとする課題】
【０００４】
特許文献１に開示されている次亜塩素酸機能水の製造装置は、電解槽等の設備を用いたものであり、大量生産を行う際においては好適であるが、必要時に簡単かつ容易に次亜塩素酸機能水を製造することは困難である。また、水に溶けている次亜塩素酸は分解しやすいため、大量生産した次亜塩素酸機能水は、使用時において当初性能を発揮できないといった課題を有している。
【課題を解決するための手段】
【０００５】
そこで本考案は、製造設備を必要とせず、必要時に簡単かつ容易に次亜塩素酸機能水を製造することで、使用時において次亜塩素酸機能水の当初性能を最大限に発揮させることが可能な次亜塩素酸機能水生成キットの提供を目的としている。
【０００６】
上記課題を解決するために本考案者は以下の構成に想到した。すなわち、キャップが螺着可能なボトルのネック部に着脱される第１キャップおよび第２キャップを具備し、前記第１キャップおよび前記第２キャップは、前記ボトルの前記ネック部に螺着する第１キャップ体と前記第１キャップ体に立設された雄ねじ部に螺着する第２キャップ体を有し、前記第１キャップ体には前記ボトルの内部に進入するストッパが一体形成され、前記第２キャップ体には前記ストッパの内側位置において前記ボトルの内部に進入する筒体が形成されていると共に、前記筒体の先端部に底蓋が嵌合により取り付けられ、前記筒体と前記底蓋とにより形成された容器に収容物が収容されており、前記底蓋は前記筒体の外径寸法よりも大径寸法であると共に前記ストッパと当接可能な大きさに形成されており、前記第２キャップ体を前記雄ねじ部から離脱させる動作により、前記筒体が上昇して前記底蓋が前記ストッパに当接することで前記底蓋の上昇が規制されることで前記筒体と前記底蓋との嵌合が解除され前記筒体から前記底蓋が分離し、前記底蓋と共に前記容器に収容されている前記収容物が前記ボトルの内部に放出可能であって、前記第１キャップの前記容器には次亜塩素酸ナトリウムが収容されており、前記第２キャップの前記容器には酸が収容されていることを特徴とする次亜塩素酸機能水生成キットである。
【０００７】
これにより、必要時に簡単かつ容易に次亜塩素酸機能水を製造することができるため、使用時において当初性能を最大限に発揮する次亜塩素酸機能水を提供することができる。また、製造用設備が不要であるため低コストでの次亜塩素酸機能水を生成することができる。
【０００８】
また、前記酸は、前記第１キャップの前記容器に収容された前記次亜塩素酸ナトリウムと中和反応し、ｐｈ＝５．５〜６．５である次亜塩素酸機能水が生成可能な種類および容量であることが好ましい。
【０００９】
また、前記第１キャップの前記容器には２．３ｍｌの４％次亜塩素酸ナトリウム水溶液が収容されており、前記第２キャップの前記容器には２．６ｍｌの３％塩化水素水溶液が収容されていることが好ましい。
【００１０】
これらにより、市場に大量に流通している容量のペットボトルを用いて次亜塩素酸機能水を製造することで、使用目的に適合した濃度の次亜塩素酸機能水を容易に製造することができる。
【００１１】
また、前記第１キャップの上面と前記第２キャップの上面には前記ネック部への装着順序を表す装着順序表示が施されていることが好ましい。
【００１２】
これにより、より簡単かつ安全に次亜塩素酸機能水を製造することができる。
【００１３】
また、前記底蓋には、前記ボトルの内部において注意喚起を施すための注意喚起加工が施されていることが好ましい。
【００１４】
これにより、次亜塩素酸機能水を製造したボトルと通常のボトルとの識別性を高め、次亜塩素酸機能水の誤飲事故の発生を防止することができる。
【考案の効果】
【００１５】
本考案にかかる構成を採用することにより、必要時に簡単かつ容易に次亜塩素酸機能水を製造することができるため、使用時において当初性能を最大限に発揮する次亜塩素酸機能水を提供することができる。また、製造用設備が不要であるため低コストでの次亜塩素酸機能水を生成することができる。
【図面の簡単な説明】
【００１６】
【図１】本実施形態における次亜塩素酸機能水生成キットの正面図である。
【図２】第１キャップをボトルのネック部に装着した状態を示す正面図である。
【図３】本実施形態における第１キャップの組立断面図である。
【図４】図２のネック部における拡大断面図である。
【図５】第１キャップの容器に収容した次亜塩素酸ナトリウム水溶液をボトル内に放出した状態を示す説明図である。
【考案を実施するための形態】
【００１７】
以下、本考案における次亜塩素酸機能水生成キットの実施形態について図面に基づいて具体的に説明する。本実施形態における次亜塩素酸機能水生成キット１００は、図１〜図３に示すように、ボトルＢのネック部Ｋのねじ山Ｎに螺着可能な第１キャップ１０および第２キャップ２０を具備している。本考案に係る次亜塩素酸機能水生成キット１００の第１キャップ１０および第２キャップ２０は同一構成であるため、ここでは第１キャップ１０について説明を行うものとする。なお、第２キャップ２０における各構成については、対応する第１キャップ１０の構成の符号の直後に括弧で符号を併記することにより説明を省略している。
【００１８】
第１キャップ１０（および第２キャップ２０）は、図３に示すように、ボトルＢのネック部Ｋのねじ山Ｎに螺着する第１キャップ体１１（２１）と、第１キャップ体１１（２１）の上面に立設された雄ねじ部１２（２２）に螺着する第２キャップ体１５（２５）を有している。
【００１９】
第１キャップ体１１（２１）は、ボトルＢのネック部Ｋのねじ山Ｎに螺着する第１ねじ部１１Ａを有し、第１ねじ部１１Ａの上面には被覆体１１Ｂ（２１Ｂ）が形成されている。被覆体１１Ｂ（２１Ｂ）の中央部分における所要範囲には貫通孔１１Ｃ（２１Ｃ）が形成されており、貫通孔１１Ｃ（２１Ｃ）の外周縁に沿って被覆体１１Ｂ（２１Ｂ）の上面に筒状体をなす雄ねじ部１２（２２）が立設されている。雄ねじ部１２の肉厚方向中間部分における径寸法は、ボトルＢのネック部Ｋの肉厚方向中間部における径寸法と等しく形成されている。雄ねじ部１２（２２）の下端部には、ボトルＢの内部に向かって延びる筒状体をなすストッパ１３（２３）が第１キャップ体１１の一部である雄ねじ部１２（２２）と一体形成されている。本実施形態におけるストッパ１３（２３）の外周面の径寸法は、ボトルＢのネック部Ｋの内径寸法以下に形成されている。
【００２０】
第２キャップ体１５（２５）は、雄ねじ部１２に螺着する第２ねじ部１５Ａ（２５Ａ）と、第２キャップ体１５(２５)の上蓋１５Ｂ（２５Ｂ）の下面からボトルＢの内部に向けて進入する筒体１６（２６）が上蓋１５Ｂ（２５Ｂ）と一体形成されている。また上蓋１５Ｂ（２５Ｂ）の上面には、ボトルＢへの装着順序を表す装着順序表示が施されている。このような装着順序表示は、上蓋１５Ｂ（２５Ｂ）の上面にシールを貼付する形態が好ましい。筒体１６（２６）は第１キャップ体１１（２１）のストッパ１３（２３）の内側位置を通過してボトルＢのネック部ＫよりもボトルＢの底面側位置まで延伸している。筒体１６（２６）の先端部（下端部）には嵌合部１６Ａ（２６Ａ）が形成されており、ストッパ１３（２３）の下側端縁からはみ出した筒体１６（２６）の嵌合部１６Ａ（２６Ａ）に底蓋１７（２７）がスナップフィット（嵌合）により取り付けられている。また底蓋１７（２７）は、蛍光色塗装や光反射素材シール等による注意喚起加工を施しておくことが好ましい。
【００２１】
本実施形態における底蓋１７（２７）は、筒体１６（２６）の外径寸法よりも大径に形成されており、底蓋１７（２７）の外周縁の上面が所要径方向範囲でストッパ１３（２３）の先端面に当接可能な大きさに形成されている。また、底蓋１７（２７）は、筒体１６（２６）の嵌合部１６Ａ（２６Ａ）に嵌合する嵌合片１７Ａ（２７Ａ）と共に筒体１６（２６）を挟持する挟持片１７Ｂ（２７Ｂ）を有している。本実施形態においては嵌合片１７Ａ（２７Ａ）の外周縁位置をストッパ１３の外周縁位置と一致させている。また、底蓋１７（２７）を筒体１６（２６）に嵌合させた際に筒体１６（２６）の先端部(下端部)と底蓋１７（２７）との間、および、嵌合片１７Ａ（２７Ａ）とストッパ１３の先端部（下端部）との間に隙間が生じないようにするためのシール部材Ｓが配設されている。
【００２２】
このようにして第２キャップ体１５（２５）には、筒体１６（２６）と底蓋１７（２７）とを嵌合させることによりシール機能を有する容器１８（２８）が形成される（図４、図５参照）。この容器１８の内部空間には、ボトルＢの内部空間に供給すべき収容物Ｆが収容されている。本実施形態においては、第１キャップ１０の容器１８に重量パーセント濃度が４％の次亜塩素酸ナトリウム水溶液が２．３ｍｌ収容されており、第２キャップ２０の容器２８に重量パーセント濃度が３％の塩化水素水溶液が２．６ｍｌ収容されている。筒体１６（２６）と底蓋１７（２７）との間にはシール部材Ｓが配設されているので、容器１８（２８）への収容物Ｆが液体であっても容器１８（２８）から収容物Ｆが漏れ出してしまうことはない。
【００２３】
容器１８（２８）に収容した収容物Ｆの重量パーセント濃度および容量によれば、市中流通量が多い内容量３５０ｍｌ、５００ｍｌ、１０００ｍｌおよび２０００ｍｌのボトルＢを選択し、所定の同一手順を実行すれば、様々な使用目的に応じた濃度の次亜塩素酸機能水を容易に生成することができる。具体的には、３５０ｍｌ容量のボトルＢを選択した場合、約６００ｐｐｍ濃度の次亜塩素酸機能水を生成することができる。また、５００ｍｌ容量のボトルＢを選択した場合、約４００ｐｐｍ濃度の次亜塩素酸機能水を生成することができる。また、１０００ｍｌ容量のボトルＢを選択した場合、約２００ｐｐｍ濃度の次亜塩素酸機能水を生成することができる。さらに２０００ｍｌ容量のボトルＢを選択した場合、約１００ｐｐｍ濃度の次亜塩素酸機能水を生成することができる。そして２０００ｍｌ容器を用いて生成した次亜塩素酸機能水を２倍に希釈することで、約５０ｐｐｍ濃度の次亜塩素酸機能水を得ることができる。
【００２４】
なお、約６００ｐｐｍ濃度および約４００ｐｐｍ濃度の次亜塩素酸機能水は、ノロウイルス感染時の緊急除菌（吐瀉物や排泄物の処理時と処理後の除菌）に好適に用いられる。また、約２００ｐｐｍ濃度の次亜塩素酸機能水は、包丁やまな板、キッチン用ふきん、シンクの除菌・消毒に好適に用いられる。さらに、約１００ｐｐｍ濃度の次亜塩素酸機能水は、トイレ使用後の除菌消臭・部屋の除菌消臭、下駄箱や靴の除菌消臭、ペットのトイレや寝床の除菌消臭に好適に用いられる。そして約５０ｐｐｍ濃度の次亜塩素酸機能水は、こどものおもちゃ・介護用品・カーテン・枕カバーの除菌消臭、噴霧器（加湿器）による空間除菌・切り花の延命等に好適に用いられる。なお、第１キャップ１０および第２キャップ２０に収容する収容物Ｆの重量パーセント濃度および容量は、本考案に係る次亜塩素酸機能水生成キット１００を用いて生成する次亜塩素酸機能水の濃度に応じて適宜変更することができる。
【００２５】
そして、以上に説明した約５０ｐｐｍ〜約６００ｐｐｍ濃度の次亜塩素酸機能水は、芽胞細胞である炭疽菌、ボツリヌス菌および破傷風菌や、結核ウイルスであるインフルエンザ菌、ＳＡＲＳ菌およびネコカリシウイルス（ノロウイルス）や、糸状真菌である白癬菌およびカビ菌各種や、食中毒菌である大腸菌Ｏ−１５７、ブドウ球菌、サルモネラ菌およびＭＲＳＡや、酵母様真菌である枯草菌、緑膿菌およびレジオネラ菌の除菌を行うことができる。
【００２６】
次に本実施形態における次亜塩素酸機能水生成キット１００を用いた次亜塩素酸機能水の生成方法について説明する。図４は、ボトルＢにおけるネック部Ｋのねじ山Ｎに第１キャップ１０を螺着した状態を示す断面図である。使用者は、生成すべき次亜塩素酸機能水の濃度に応じて所定容量のペットボトルに代表されるキャップが螺着可能なボトルＢを準備し、ボトルＢに所定容量の水を注入する。このときボトル容量の９０％程度の容量の水を注入することが好ましい。次に使用者は、ボトルＢのネック部Ｋのねじ山Ｎに図４に示すように第１キャップ１０を螺着させる。
【００２７】
次に使用者は、図５に示すように第２キャップ体１５のみを図５中の矢印Ａの方向に回転させ、第２キャップ体１５を第１キャップ体１１の第１ねじ部１１Ａから離脱させる。この動作により第２キャップ体１５と共に筒体１６および底蓋１７が上昇し、底蓋１７の上面側の外周縁の所要径方向範囲がストッパ１３の先端部（下端部）に当接し、底蓋１７の上昇が規制されることになる。底蓋１７の上昇動作が規制されている状態で、なおも使用者が第２キャップ体１５を回転させ続けると、筒体１６と底蓋１７の嵌合が解除され、底蓋１７が筒体１６から図５中の矢印Ｂの方向に分離し、容器１８に収容されていた次亜塩素酸ナトリウムと共にボトルＢの内部に放出される。
【００２８】
第２キャップ体１５が第１ねじ部１１Ａから分離したことにより、使用者は、第１キャップ１０の容器１８に収容されていた収容物ＦがボトルＢの内部に放出されたことを認識することができる。この時点でボトルＢの内部には、底蓋１７が浮遊または沈下している次亜塩素酸ナトリウム水溶液が生成された状態になっている。
【００２９】
次に使用者は、第１キャップ体１１をねじ山Ｎから離反させて第１キャップ１０をボトルＢから取り外し、第２キャップ２０をボトルＢのネック部Ｋのねじ山Ｎに螺着する。第２キャップ２０をボトルＢのネック部Ｋのねじ山Ｎに螺着した状態は、図４に示した状態と同一の状態になる。第２キャップ２０をボトルＢに螺着した後は、第１キャップ１０で実施した手順と同様の手順を実行し、第２キャップ２０の容器２８に収容されている塩化水素水溶液をボトルＢの内部に放出させる。これにより次亜塩素酸ナトリウム水溶液と塩化水素水溶液が化学反応して、所定濃度の次亜塩素酸機能水を得ることができる。
【００３０】
次亜塩素酸機能水を生成したボトルＢの内部には、第１キャップ１０の底蓋１７と第２キャップ２０の底蓋２７が収容された状態になっているが、底蓋１７と底蓋２７にはいずれも注意喚起加工が施されているため、通常のキャップをボトルＢに装着しても、底蓋１７および底蓋２７の存在により、次亜塩素酸機能水の誤飲事故を防ぐことができる。
【００３１】
このように、本考案にかかる次亜塩素酸機能水生成キット１００を用いることで、必要時に簡単かつ安価に所定濃度の次亜塩素酸機能水を生成することができる。また、使用するボトルＢの容量を変更するだけで、面倒な計算をすることなく目的に応じた濃度の次亜塩素酸機能水を極めて簡単な手順で生成することができる。
【００３２】
以上に、本考案にかかる次亜塩素酸機能水生成キット１００について実施形態に基づいて詳細に説明をしたが、本考案の技術的範囲は、以上の実施形態に限定されるものではない。すなわち、考案の要旨を変更しない範囲における適宜変更を施した構成は、本考案の技術的範囲に属するのである。例えば本実施形態における底蓋１７（２７）は、嵌合片１７Ａ（２７Ａ）と挟持片１７Ｂ（２７Ｂ）を有する形態について説明したが、底蓋１７（２７）はこの形態に限定されるものではない。底蓋１７（２７）は、筒体１６の嵌合部１６Ａ（２６Ａ）に嵌合する嵌合片１７Ａ（２７Ａ）のみを有する形態を採用することもできる。
【００３３】
また、本実施形態においては、ストッパ１３の先端部および筒体１６の先端部と底蓋１７との当接部とはシール部材Ｓを介して当接させているが、シール部材Ｓの配設を省略することもできる。
【００３４】
また、本実施形態においては、酸として塩化水素水溶液（塩酸）を用いているが、次亜塩素酸ナトリウム水溶液と中和反応することができる酸であれば、塩化水素水溶液（塩酸）に限定されるものではなく、他の公知の酸を使用することができる。公知の酸を使用する場合においては、ボトルＢ内に生成された次亜塩素酸ナトリウム水溶液と中和反応すると共にｐｈが５．５〜６．５の範囲の次亜塩素酸機能水を生成することができる種類および容量を用いればよい。
【００３５】
この他、明細書内に記載されている各種の変形例を適宜組み合わせた形態を採用することも可能である。
【符号の説明】
【００３６】
１０  第１キャップ，
１１  第１キャップ体，１１Ａ  第１ねじ部，１１Ｂ  被覆体，１１Ｃ  貫通孔，
１２  雄ねじ部，１３  ストッパ，
１５  第２キャップ体，１５Ａ  第２ねじ部，１５Ｂ  上蓋，
１６  筒体，１６Ａ  嵌合部，
１７  底蓋，１７Ａ  嵌合片，１７Ｂ挟持片，
２０  第２キャップ，
２１  第１キャップ体，２１Ａ  第１ねじ部，２１Ｂ  被覆体，２１Ｃ  貫通孔，
２２  雄ねじ部，２３  ストッパ，
２５  第２キャップ体，２５Ａ  第２ねじ部，２５Ｂ  上蓋，
２６  筒体，２６Ａ  嵌合部，
２７  底蓋，２７Ａ  嵌合片，２７Ｂ挟持片，
１００  次亜塩素酸機能水生成キット，
Ｂ  ボトル，
Ｋ  ネック部，
Ｎ  ねじ山
【図１】
0003229337.tif 000003
【図２】
0003229337.tif 000004
【図３】
0003229337.tif 000005
【図４】
0003229337.tif 000006
【図５】
0003229337.tif 000007